(57)【要約】【課題】広告媒体の複数の詳細広告情報を取得し、参照することができ、更に広告媒体の状態や評価を管理・報告できる技術を提供する。【解決手段】広告媒体の近傍で利用される端末の位置を示す位置情報（ＧＰＳ）及び利用時間を示す時間情報（日時）を受け、位置情報及び時間情報に対応する車両情報（近接通知装置番号、編成番号、車両番号、路線情報）を特定し、位置情報及び前記車両情報に基づき、広告関連情報を抽出する広告関連情報管理装置を設ける。【選択図】図１
2019200637.tif 000002
【特許請求の範囲】
【請求項１】
広告媒体の広告情報に関連する広告関連情報を管理する広告関連情報管理装置を備えた広告関連情報管理システムにおいて、
前記広告関連情報管理装置は、
前記広告媒体の近傍で利用される端末の位置を示す位置情報（ＧＰＳ）及び利用時間を示す時間情報（日時）を受け、当該位置情報及び時間情報に対応する車両情報（近接通知装置番号、編成番号、車両番号、路線情報）を特定し、前記位置情報及び前記車両情報に基づき前記広告関連情報を抽出する
ことを特徴とする広告関連情報管理システム。
【請求項２】
請求項１に記載された広告関連情報管理システムにおいて、
前記広告媒体は、電車内に設けられ、前記端末は、電車内で利用された携帯デバイスであり、
前記車両情報は、近接通知装置番号、編成番号、車両番号、路線情報、の１つ以上を含み、
前記広告関連情報は、前記広告媒体における媒体情報、意匠情報、意匠状態情報、異常評価情報の１つ以上を含む、
ことを特徴とする広告関連情報管理システム。
【請求項３】
請求項１に記載された広告関連情報管理システムにおいて、
前記広告関連情報管理装置は、さらに
前記広告関連情報管理装置から抽出した前記広告関連情報を前記端末に対して送信し、当該端末にて前記広告関連情報を表示可能とする
ことを特徴とする広告関連情報管理システム。
【請求項４】
請求項３に記載された広告関連情報管理システムにおいて、
前記広告関連情報管理装置は、さらに
前記広告関連情報管理装置から抽出した前記広告関連情報を前記端末に対して送信し、表示する場合、当該広告関連情報に対し、前記端末より前記広告情報と関連する情報か否かを入力する項目を含む表示画面を前記端末に送信する
ことを特徴とする広告関連情報管理システム。
【請求項５】
請求項４に記載された広告関連情報管理システムにおいて、
前記広告情報と関連する情報か否かを入力する項目を含む表示画面は、前記広告媒体の意匠評価及び／又は状態を示す情報を入力する項目を含む、
ことを特徴とする広告関連情報管理システム。
【請求項６】
請求項３に記載された広告関連情報管理システムにおいて、
前記広告関連情報管理装置は、さらに
前記端末から前記広告情報を取得し、前記位置情報及び前記車両情報に基づき、前記広告関連情報管理装置から抽出した前記広告関連情報に含まれる広告情報との一致を判定する
ことを特徴とする広告関連情報管理システム。
【請求項７】
請求項６に記載された広告関連情報管理システムにおいて、
前記広告関連情報に含まれる広告情報との一致の判定は、前記端末にて撮影した写真画像の一致を判定するものである
ことを特徴とする広告関連情報管理システム。
【請求項８】
請求項６に記載された広告関連情報管理システムにおいて、
前記広告関連情報、前記広告情報と関連する情報、前記広告情報を統計情報として利用する、
ことを特徴とする広告関連情報管理システム。
【請求項９】
広告媒体の広告情報に関連する広告関連情報を管理する広告関連情報管理装置を備えた広告関連情報管理システムにおける広告関連情報管理方法において、
前記広告媒体の近傍で利用される端末の位置を示す位置情報（ＧＰＳ）及び利用時間を示す時間情報（日時）を受けるステップ、
前記位置情報及び時間情報に対応する車両情報（近接通知装置番号、編成番号、車両番号、路線情報）を特定するステップ、
前記位置情報及び前記車両情報に基づき前記広告関連情報を抽出するステップ、
を含むことを特徴とする広告関連情報管理方法。
【請求項１０】
請求項９に記載された広告関連情報管理方法において、
前記広告媒体は、電車内に設けられ、前記端末は、電車内で利用された携帯デバイスであり、
前記車両情報は、近接通知装置番号、編成番号、車両番号、路線情報、の１つ以上を含み、
前記広告関連情報は、前記広告媒体における媒体情報、意匠情報、意匠状態情報、異常評価情報の１つ以上を含む、
ことを特徴とする広告関連情報管理方法。
【請求項１１】
請求項９に記載された広告関連情報管理方法において、さらに、
前記広告関連情報管理装置から抽出した前記広告関連情報を前記端末に対して送信し、前記端末にて前記広告関連情報を表示可能とするステップ、を含む
ことを特徴とする広告関連情報管理方法。
【請求項１２】
請求項１１に記載された広告関連情報管理方法において、さらに
前記広告関連情報管理装置から抽出した前記広告関連情報を前記端末に対して送信し、表示する場合、当該広告関連情報に対し、前記端末より前記広告情報と関連する情報か否かを入力する項目を含む表示画面を前記端末に送信するステップを含む
ことを特徴とする広告関連情報管理方法。
【請求項１３】
請求項１１に記載された広告関連情報管理方法において、さらに、
前記端末から前記広告情報を取得し、前記位置情報及び前記車両情報に基づき、前記広告関連情報管理装置から抽出した前記広告関連情報に含まれる広告情報との一致を判定するステップを含む、
ことを特徴とする広告関連情報管理方法。
【請求項１４】
請求項１３に記載された広告関連情報管理方法において、
前記広告関連情報、前記広告情報と関連する情報、前記広告情報を統計情報として利用する、
ことを特徴とする広告関連情報管理方法。
【発明の詳細な説明】
【技術分野】
【０００１】
本発明は、広告関連情報管理システム及び広告関連情管理方法に関する。
【背景技術】
【０００２】
広告情報提供システムとして、特開２００８−２９２６５３号広報（特許文献１）に記載の技術がある。この公報には、「広告媒体の近傍に設置され、該広告媒体を識別する広告媒体識別情報を掲示する掲示装置と、前記掲示装置が掲示する前記広告媒体識別情報を読み取る携帯端末装置と、該携帯端末装置と通信網を介して通信する参照情報提供装置と、該携帯端末装置と通信網を介して通信し、詳細広告情報を提供する広告提供装置とからなる広告情報提供システムであって、前記携帯端末装置は、前記掲示装置が掲示する広告媒体識別情報を読み取る読取部と、前記読取部が読み取った広告媒体識別情報を前記参照情報提供装置に送信する送信部と、前記参照情報提供情報装置が送信した参照情報を受信する受信部と、前記受信部が受信した参照情報が参照する詳細広告情報を前記広告提供装置から取得して出力する情報出力部とを具備し、前記参照情報提供装置は、前記広告媒体識別情報を前記携帯端末装置から受信する受信部と、受信した前記広告媒体識別情報に基づき、該情報の広告媒体が広告する情報に関連する詳細広告情報への参照情報を決定し、該参照情報を出力する参照情報決定部と、前記参照情報決定部が出力した参照情報を前記携帯端末装置に送信する送信部とを具備することを特徴とする広告情報提供システム。」という記載がある。
【先行技術文献】
【特許文献】
【０００３】
【特許文献１】特開２００８−２９２６５３号公報
【発明の概要】
【発明が解決しようとする課題】
【０００４】
特許文献１では、「広告媒体識別情報を携帯端末装置から受信すると、該広告媒体が広告する情報に関連する詳細広告情報への参照情報を携帯端末装置に送信するので、遠距離から見ることを想定している広告媒体についても、該広告媒体を見る場所の近傍に広告媒体識別情報を表す２次元バーコード等を貼り付け、この２次元バーコード等を携帯端末装置で読み取って参照情報提供装置に送信することにより、該広告媒体が広告する情報に関連する詳細広告情報を取得することを可能にする」という効果を奏する。
しかし、複数の広告媒体に興味があった場合における詳細広告情報の取得や、広告媒体の状態や評価を管理・報告することを想定されていない。そのため、単一の広告媒体の詳細広告情報の取得という効果にとどまる。
【０００５】
そこで本発明では、広告媒体の複数の詳細広告情報を取得し、参照することができ、更に広告媒体の状態や評価を管理・報告できる技術を提供することを目的とする。
【課題を解決するための手段】
【０００６】
上記課題を解決するために、本発明は、携帯端末装置が近接通知装置から取得した情報を媒体情報管理装置及び意匠情報管理装置の情報と突合することにより、複数の近接広告媒体の詳細情報を参照でき、更に、携帯端末装置で入力した情報を意匠評価管理装置及び意匠状態管理装置に情報を送信することで広告媒体の状態や評価を管理・報告できるようにするものである。
【０００７】
例えば、本発明の広告関連情報管理システム及び広告関連情報管理方法の代表的な一つは、広告媒体の広告情報に関連する広告関連情報を管理する広告関連情報管理装置を備えた広告関連情報管理システムにおいて、前記広告関連情報管理装置は、  前記広告媒体の近傍で利用される端末の位置を示す位置情報（ＧＰＳ）及び利用時間を示す時間情報（日時）を受け、当該位置情報及び時間情報に対応する車両情報（近接通知装置番号、編成番号、車両番号、路線情報）を特定し、前記位置情報及び前記車両情報に基づき前記広告関連情報を抽出することを特徴とする。
【発明の効果】
【０００８】
本発明によれば、複数の近接する広告媒体の詳細情報を取得し、参照することができる。
また、広告媒体の状態や評価ができ、その管理ができるようになる。
上記した以外の課題、構成及び効果は、以下の実施形態の説明により明らかにされる。
【図面の簡単な説明】
【０００９】
【図１】本発明のシステムの構成を示す概略システム構成図。
【図２】本発明のシステムの携帯端末装置のブロック図。
【図３】近接通知装置が携帯端末装置に送信するデータ概要図。
【図４】媒体情報管理装置が持つデータ概要図。
【図５】意匠情報管理装置が持つデータ概要図。
【図６】意匠評価管理装置が持つデータ概要図。
【図７】意匠状態管理装置が持つデータ概要図。
【図８】本発明のシステムの概要を示す概要概略図。
【図９】携帯端末装置に意匠詳細情報を表示するまでのシーケンス図。
【図１０】意匠評価管理装置へ情報を送信するシーケンス図。
【図１１】意匠状態管理装置へ情報を送信するシーケンス図。
【発明を実施するための形態】
【００１０】
以下、実施例について図面を用いて説明する。
【実施例１】
【００１１】
図１は、本発明の広告関連情報管理システムの概略構成を示すシステム構成図である。
広告関連情報管理システムは、携帯端末装置１１、近接通知装置１２、広告関連情報管理装置１３、ネットワーク１４、を備えている。
【００１２】
携帯端末装置１１は、広告作業者や乗客（利用客）などが携帯する端末であり、例えば、スマートフォンなどの携帯デバイスからなる。
【００１３】
近接通知装置１２は、電車の車両内（以下、電車内と称する）、例えば、電車内ごとに取り付けられており、どの編成番号のどの車両番号に設置してあるかの情報を持ち、近接してきた携帯端末装置１１に対して、車両情報、例えば、後述するが、近接通知装置番号、編成番号、車両番号、路線情報、などをプッシュ送信するものである。
【００１４】
広告関連情報管理装置１３１は、例えば、データサーバ１３からなり、広告関連情報管理装置１３１、を有する。広告関連情報管理装置１３１は、媒体情報管理装置１３１１、意匠情報管理装１３１２、意匠評価管理装置１３１３、意匠状態管理装置１３１４、を含む。
【００１５】
媒体情報管理装置１３１１は、例えば、どの編成番号のどの車両番号の電車のどの媒体種類のどの枠番号に、いつからいつまでの期間で、どのような広告主でどのような広告内容の広告が掲出されているかを管理する装置である。
例えば、後述するが、掲出テーブルを有し、掲出テーブルにて、線路番号、編成番号、車両番号、媒体種類、枝番号、掲出期間、広告主、広告内容、意匠番号、などを管理している（図４参照）。
【００１６】
意匠情報管理装置１３１２は、どのような意匠イメージが掲出されているか及びその意匠イメージに該当する複数言語情報での意匠詳細イメージを管理する装置である。
例えば、後述するが、意匠テーブル、意匠詳細テーブル、意匠詳細駅テーブル、などを有し、意匠テーブルにて、意匠番号、意匠イメージ、などを管理し、意匠詳細テーブルにて、意匠番号、言語情報、意匠詳細イメージ、などを管理し、意匠詳細駅テーブルにて、意匠番号、言語情報、駅、意匠イメージ、などを管理している（図５参照）。
【００１７】
意匠評価管理装置１３１３は、意匠の内容を評価した結果を管理する装置である。
例えば、後述するが、意匠評価テーブルを有し、意匠番号、言語情報、端末ＩＤ、評価情報、などを管理している（図６参照）。
【００１８】
意匠状態管理装置１３１４は、意匠の状態を管理する装置である。
例えば、後述するが、意匠状態テーブルを有し、意匠状態テーブルにて、牽制番号、車両番号、媒体種類、枠番号、期間、端末ＩＤ、状態情報、画像ファイル、報告日時、などを管理している（図７参照）。
【００１９】
ネットワーク１７は、携帯端末装置１１と広告関連情報管理装置１３１の各装置と接続し、両者間の情報の送受信を可能とする。
【００２０】
図２は、本発明の広告媒体情報提供システムにおけるサービスの享受を可能とするアプリケーションを搭載した携帯端末装置１１の機能構成を示すブロック図である。
【００２１】
携帯端末装置１１は、近接情報受信部１１０１、言語設定部１１０２、入力部１１０３、撮影部１１０４、ＧＰＳ受信部１１０５、駅位置情報保存部１１０６、区間端駅保存部１１０７、送信部１１０８、受信部１１０９、車内図表示部１１１０、詳細情報表示部１１１１、区間情報保存部１１１２、路線駅情報部１１１３、区間内駅算出部１１１４、などを有する。
【００２２】
近接情報受信部１１０１は、情報を受信する機能を有し、近接通知装置１２から送信される近接情報を受信する。近接通知装置１２における近接情報は、後述するが、近接通知装置番号、編成番号、車両番号、路線情報、などを含む（図３参照）。
【００２３】
言語設定部１１０２は、携帯端末装置の車内図表示部で表示する言語を設定する機能を有し、例えば、日本語や英語、中国語、等の言語を設定する。
【００２４】
入力部１１０３は、情報を入力する機能を有し、携帯端末装置１１のユーザが広告媒体に対する意匠状態及び意匠評価、などを示す情報を入力する。
【００２５】
要するに、広告関連情報管理システム側から携帯端末装置１１の車内図表示部１１１０に表示する情報を提示し、携帯端末装置１１の利用客が当該車内図表示部１１１０に表示した画面から広告情報と関連する情報、例えば、意匠状態や意匠評価などを示す情報を入力してもらう。これにより、広告関連情報管理システム側において、例えば、広告媒体（中吊り広告など）を取り付ける広告作業者が広告媒体（中吊り広告など）を電車内に掲出したか否かを、電車の利用客を介して判断することができる。
【００２６】
撮影部１１０４は、カメラ機能を有し、例えば、車内の中吊り等の広告媒体を撮影し、画像情報を出力する。
【００２７】
ＧＰＳ受信部１１０５は、位置情報を受信する機能を有し、携帯端末装置１１の位置を示すＧＰＳ情報を受信する。
【００２８】
駅位置情報保存部１１０６は、電車が走行する駅位置情報を保存し、区間端駅保存部１１０７は、区間端駅情報を保存し、区間情報保存部１１１２は、区間情報を保存し、路線駅情報部１１１３は、各駅に関する情報を保存するものであり、これらは、例えば、データベースからなる。
【００２９】
区間端駅保存部１１０７は、頻繁に乗車・降車する区間を示す情報を保存する。頻繁に乗車・降車する区間は、区間情報保存部１１１２に保存された複数日時の乗車駅・降車駅の情報から算出する。
【００３０】
送信部１１０８は、後述する編成番号、車両番号、日時、などの情報を媒体情報管理装置１３１に送信し、意匠番号、言語情報、などの情報を意匠情報管理装置１３１２２に送信し、意匠番号、言語情報、ユーザＩＤ，評価情報、などを意匠評価管理装置１３１３に送信し、及び編成番号、車両番号、媒体種類、枠番号、日時、ユーザＩＤ、状態情報、画像ファイル、などの情報を意匠状態管理装置１３１４へ情報を送信する。
【００３１】
受信部１１０９は、媒体情報管理装置１３１から送信される媒体種類、枠番号、掲出期間、広告主、広告内容、意匠番号、などの情報を受信し、意匠情報管理装置１３１２から送信される意匠番号、１つ以上の意匠イメージや意匠詳細イメージ、などの情報を受信し、意匠評価管理装置１３１３や意匠状態管理装置１３１４から送信される状態送信完了通知を示す情報を受信する。
【００３２】
車内図表示部１１１０は、電車の車内を示す図表を表示する機能を有し、電車内のどこに何が掲出されているかを表示する。
【００３３】
詳細情報表示部１１１１は、広告関連情報の詳細を示す情報を表示する機能を有する。
【００３４】
区間情報保存部１１１２は、利用者がどの駅で乗車し、どの駅で降車したかを示す駅間の区間情報を保存し、路線駅情報部１１１３は、路線駅情報を保存する。
【００３５】
区間内駅算出部１１１４は、区間情報保存部１１１２に保存された区間情報と、路線駅情報部１１１３に保存されている路線駅情報、つまり、どの路線にどういう順番で駅があるかを示す情報により、頻繁に乗車・降車する区間を算出する機能を有する。
区間内駅算出部１１１４にて算出した結果は、送信部１１０８を介して意匠情報管理装置１３１２に送信される。
【００３６】
図３は、近接通知装置１２にて管理する近接通知テーブル１２１の構成例を示す図である。
【００３７】
近接通知テーブル１２１は、近接通知装置番号１２１１、編成番号１２１２、車両番号１２１３、路線情報１２１４、などの情報を有する。
【００３８】
図４は、媒体情報管理装置１３１にて管理する掲出テーブル１３１１０の構成例を示す図である。
【００３９】
掲出テーブル１３１１０は、路線番号１３１１１、編成番号１３１１２、車両番号１３１１３、媒体種類１３１１４、枠番号１３１１５、掲出期間１３１１６、広告主１３１１７、広告内容１３１１８、意匠番号１３１１９、などの情報を有する。
【００４０】
図５は、意匠情報管理装置１３１２にて管理する意匠テーブル１３１２１０、意匠詳細テーブル１３１２２０、意匠詳細駅テーブル１３１２３０の構成例を示す図である
【００４１】
意匠テーブル１３１２１０は、意匠番号１３１２１１と意匠イメージ１３１２１２を有し、意匠詳細テーブル１３１２２０は、意匠番号１３１２２１、言語情報１３１２２２、意匠詳細イメージ１３１２２３を有し、意匠詳細テーブル１３１２３０は、意匠番号１３１２３１、言語情報１３１２３２、駅１３１２３３、意匠イメージ１３１２３４、などの情報を有する。
意匠番号とは、広告媒体、例えば、中吊り広告の意匠番号であり、意匠イメージは、中吊り広告の意匠を示す画像ファイルである。言語情報とは、意匠イメージの詳細を示す意匠詳細イメージを如何なる言語で表記するかを指定する言語、例えば、日本語、英語、中国語、韓国語、等である。駅は、駅名である。
【００４２】
図６は、意匠評価管理装置１３１３にて管理する意匠評価テーブル１３１３１０の構成例を示す図である。
【００４３】
意匠評価テーブル１３１３１０は、意匠番号１３１３１１、言語情報１３１３１２、端末ＩＤ１３１３１３、評価１３１３１４、などの情報を有する。
評価は、利用客による任意による評価であり、例えば、数値や文字、音声などの入力で明示する。
【００４４】
図７は、意匠状態管理装置１３１４にて管理する意匠状態テーブル１３１４１０の構成例を示す図である。
【００４５】
意匠状態テーブル１３１４１０は、編成番号１３１４１１、車両番号１３１４１２、媒体種類１３１４１３、枠番号１３１４１４、掲出期間１３１４１５、端末ＩＤ１３１４１６、状態情報１３１４１７、画像ファイル１３１４１８、報告日時１３１４１９、などの情報を有する。
【００４６】
図８は、本発明の広告媒体情報提供システムにおける動作を概要的に説明する図である。
同図において、電車内に取り付けられた広告媒体２１、例えば、中吊り広告２１１を見た利用客（ユーザ）が、当該中吊り広告の詳細情報（意匠詳細イメージ）を英語で見たい場合における処理手順について説明する。
【００４７】
まず、ユーザが携帯する携帯端末装置１１におけるアプリケーションを起動すると、携帯端末装置１１に近接して設けられた近接通知装置１２から送信される情報（含近接通知装置番号３１１、編成番号３１２、車両番号３１３、路線情報３１４）を受信する。
【００４８】
次に、携帯端末装置１１が近接通知装置１２から送信される情報を受信すると、この情報における電車の編成番号、車両番号、及び日時、を媒体情報管理装置１３１に送信し、また、意匠番号、言語情報５２２、５３２を意匠情報管理装置１３１２に送信する。
【００４９】
このとき、編成番号、車両番号、及び日時、を受けた媒体情報管理装置１３１１は、意匠番号を自動的に意匠情報管理装置１３１２に送信する。
そして、携帯端末装置１１から送信した電車の編成番号、車両番号、及び日時、送信される編成番号に対応して、媒体情報管理装置１３１から送信される媒体種類、枠番号、掲出期間、広告主、意匠番号、を受信する。
【００５０】
また、媒体情報管理装置１３１から送信した意匠番号に対応して、意匠情報管理装置１３１２から送信される意匠テーブル１３１２１０における意匠番号、意匠イメージの情報を受信し、さらに、携帯端末装置１１から送信した意匠番号、言語情報に対応して、意匠情報管理装置１３１２から送信される意匠詳細イメージを受信する。
【００５１】
媒体情報管理装置１３１及び意匠情報管理装置１３１２から受信した広告関連情報における中吊り広告の詳細情報である意匠詳細イメージは、車内図表示部１１１０に表示する。
ここで、意匠詳細駅テーブル１３１２３０に意匠番号、言語情報と合致するデータがある場合は、上述した処理手順を繰り返す。
【００５２】
図９は、図８における携帯端末装置１１が近接通知装置１２からの情報を受信してから意匠詳細イメージを車内図表示部１１１０に表示するまでのシーケンスを示す図である。
図９のシーケンスに基づく動作は以下のとおりである。
【００５３】
携帯端末装置１１の本サービスを受けるためのアプリケーションを起動すると、近接通知装置１２は、編成番号１２１２、車両番号１２１３を携帯端末装置１１へ送信する（Ｓ１２１）。
【００５４】
携帯端末装置１１は、近接通知装置１２から送信された編成番号１２１２、車両番号１２１３を受信し、当該編成番号、車両番号、及びその日時を媒体情報管理装置１３１へ送信する（ステップＳ１１１）。
【００５５】
媒体情報管理装置１３１は、携帯端末装置１１から送信された編成番号１２１２、車両番号１２１３、日時を受信し（Ｓ１３１１）、これらの情報をもとに図４の掲出テーブル１３１１を検索し、該当するデータの媒体種類１３１１４、枠番号１３１１５、掲出期間１３１１６、広告主１３１１７、広告内容１３１１８、意匠番号１３１１９を携帯端末装置１１に送信する（ステップＳ１３１２）。
【００５６】
また、媒体情報管理装置１３１は、意匠番号（複数）１３１１９を意匠情報管理装置１３１２へ送信する（ステップＳ１３１３）。
【００５７】
意匠情報管理装置１３１２は、媒体情報管理装置１３１から送信の意匠番号１３１１９を受信し（Ｓ１３２１）、当該意匠番号をもとに図５の意匠テーブル１３１２１０を検索し、該当する意匠情報（データ）の意匠番号１３１２１１、意匠イメージ１３１２１２を携帯端末装置１１に送信する（ステップＳ１３２２）。
【００５８】
携帯端末装置１１は、意匠情報管理装置１３１２から送信された意匠番号１３１２１１、意匠イメージ（画像ファイルＡ）１３１２１２を受信し、表示する（ステップＳ１１２）。
このとき、意匠イメージ（画像ファイルＡ）の詳細を知りたい場合、携帯端末装置１１の車内図表示部１１１０に表示された意匠イメージをタッチ、またはクリックすると、携帯端末装置１１は、この意匠イメージに対応する意匠番号及び言語情報を意匠情報管理装置１３１２へ送信する（ステップＳ１１３）。
このときの意匠番号及び言語情報は、携帯端末装置１１の利用客が入力部１１０３を介して指定入力する。
【００５９】
意匠情報管理装置１３１２は、携帯端末装置１１から送信される意匠番号と言語情報を受信し（Ｓ１３２３）、これらの情報をもとに図５の意匠詳細テーブル１３１２２０を検索し、該当する意匠詳細イメージ１３１２２３を携帯端末装置１１に送信する（ステップＳ１３２４）。
【００６０】
携帯端末装置１１は、媒体情報管理装置１３１及び意匠情報管理装置１３１２から送信された意匠詳細イメージ（画像ファイルのデータＡ’）を受信し、当該受信したデータをもとに車内図表示部１１１０に意匠詳細イメージ（画像ファイルのデータＡ’）１３１２２３をＳ１１３にて指定した言語により表示する（Ｓ１１４）。
【００６１】
また、このとき、携帯端末装置１１は、Ｓ１１２にて受信した意匠イメージ（画像ファイルＡ）が図５の意匠詳細駅テーブル１３１２３における情報（含意匠番号１３１２３１、言語情報１３１２３２、駅１３１２３３、意匠イメージ１３１２３４）に合致する意匠イメージａのデータ、例えば、画像情報がある場合（ステップＳ１１５）は、意匠情報管理装置１３１２に意匠番号１３１２３１、言語情報１３１２３２、駅１３１２３３の各情報を送信し、また、意匠情報管理装置１３１２から意匠番号、言語情報、駅、の各情報に対応し、駅特有な意匠詳細イメージ（ａ）１３１２２３を受信し、表示する（Ｓ１１６）。
【００６２】
以上述べた実施例によれば、電車内における広告媒体に関連する広告関連情報し、必要とする乗客（ユーザ）に対して、有効な広告関連情報の詳細情報をユーザが希望する言語で適確にかつ迅速に提供することができる。
【実施例２】
【００６３】
本実施例は、実施例１において、電車内の中吊り広告２１１を見たユーザが、当該広告に対する評価を報告したい場合の例である。
【００６４】
図１〜図８及び図１０を参照し、実施例１から変更がある個所のみ、以下に示す。
【００６５】
図１０は、意匠評価情報を送信するまでのシーケンス図である。なお、本実施例は実施例１が完了していることを前提とする。
【００６６】
まず、ユーザは、電車内に掲出されている中吊り広告２１１の意匠及び携帯端末装置１１の車内図表示部１１１０に表示されている意匠イメージをもとに、ユーザの好みに応じ評価を行い、その結果を携帯端末装置１１の入力部１１０３に入力する。
【００６７】
すると、携帯端末装置１１は、入力された評価を示す意匠評価情報を、広告媒体２１の意匠情報、言語情報、端末ＩＤとともに意匠評価管理装置１３１３へ送信する（ステップＳ１１７）。
【００６８】
意匠評価管理装置１３１３は、意匠評価情報を受信し、意匠評価情報の受信を完了したとき、その旨を示す完了通知を携帯端末装置１１に返信する（ステップＳ１３３１）。
【００６９】
本例によれば、ユーザを通じて広告媒体の意匠評価を把握することができる。また、ユーザによる意匠評価情報を広告関連情報管理装置側で収集し、管理することにより、収集した意匠評価情報を統計情報として利用することができ、この意匠評価情報をもって、広告効果を向上するためのソリューションとして利用することができる。
【実施例３】
【００７０】
本実施例は、電車内の中吊り広告２１１を見たユーザが、当該広告の状態を報告したい場合の例である。図１〜図８及び図１１を参照し、実施例１から変更がある個所のみ、以下に示す。
【００７１】
図１１は、意匠状態情報を送信するまでのシーケンス図である。なお、本実施例は実施例１が完了していることを前提とする。
【００７２】
まず、ユーザは、電車内に掲出されている意匠及び携帯端末装置内の車内図に表示されている意匠イメージをもとに、掲出されている中吊り広告２１１の意匠が携帯端末装置１１の車内図表示部１１１０に表示されている意匠イメージと同一かどうかを確認し、また、掲出されている意匠の状態を示す意匠状態情報、例えば、汚れや破れ等の有無とともに、携帯端末装置１１の入力部１１０３に入力する。
【００７３】
すると、携帯端末装置１１は、入力された意匠状態情報を、編成番号、車両番号、媒体種類、枠番号、入力日時、端末ＩＤとともに意匠状態管理装置１３１４へ送信する（ステップＳ１１８）。
【００７４】
また、このとき、ユーザが携帯端末装置１１の撮影部１１０４にて撮影した掲出されている意匠の写真データ／写真画像を含む画像ファイルも送信可能とする。
【００７５】
本例によれば、ユーザを通じて広告作業者の中吊り作業評価を把握することができ、この中吊り作業評価をもって、広告作業を向上するためのソリューションとして利用することができる。
【実施例４】
【００７６】
本実施例は、電車内の中吊り広告を見たユーザが、当該広告の詳細情報をユーザがよく利用する電車区間内の情報に特化してみたい場合の例である。図１〜図９を参照し、実施例１から変更がある個所のみ、以下に示す。
【００７７】
携帯端末装置１１は、ユーザが乗車した際に、近接通知装置１２から送信され、近接情報受信部１１０１にて受信した路線情報１２１４と、ＧＰＳ受信部１１０５にて受信した緯度経度の位置情報により、乗車した路線と位置情報を区間情報保存部１１１２に保存する。
【００７８】
また、降車した際にも同様に、降車した路線と位置情報を区間情報保存部１１１２に保存する。
【００７９】
区間情報保存部１１１２に保存された情報と、駅位置情報保存部１１０６に保存された情報、つまり、どの駅がどの緯度経度にあるかを示す情報とをもとに、ユーザがどの駅で乗車し、どの駅で降車したかを示す情報を算出し、区間情報保存部１１１２に格納する。
【００８０】
また、区間情報保存部１１１２に保存された複数日数の乗車駅・降車駅の情報から、頻繁に乗車・降車する区間を算出し、区間端駅保存部１１０７に保存する。
【００８１】
次に、区間端駅保存部１１０７に保存された区間と、路線駅情報部１１１３に保存された情報、つまり、どの路線にどういう順番で駅があるかを示す情報とにより、ユーザが頻繁に乗車・降車する区間内にどの駅があるかの情報を区間内駅算出部１１１４にて算出し、その結果を意匠情報管理装置１３１２に送信する。
【００８２】
意匠状態管理装置は、あらかじめ設定しておいた意匠詳細駅テーブル１３１２３０を検索し、該当する意匠詳細イメージを携帯端末装置１１に送信する。
【００８３】
携帯端末装置１１は、媒体情報管理装置１３１１及び意匠情報管理装置１３１２４から送信されたデータをもとに車内図表示部１１１０に意匠イメージ及び意匠詳細イメージを表示する。
【００８４】
本実施例によれば、ユーザがよく利用する電車区間内の情報を容易に把握することができる。
【符号の説明】
【００８５】
１１  携帯端末装置
１２  近接通知装置
１３  データサーバ
１３１１  媒体情報管理装置
１３１２  意匠情報管理装置
１３１３  意匠評価管理装置
１３１４  意匠状態管理装置
１４  ネットワーク
２１  広告媒体
２１１  中吊り広告
【図１】
2019200637.tif 000003
【図２】
2019200637.tif 000004
【図３】
2019200637.tif 000005
【図４】
2019200637.tif 000006
【図５】
2019200637.tif 000007
【図６】
2019200637.tif 000008
【図７】
2019200637.tif 000009
【図８】
2019200637.tif 000010
【図９】
2019200637.tif 000011
【図１０】
2019200637.tif 000012
【図１１】
2019200637.tif 000013